【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
複数の通信システムが同一の通信媒体上で通信スロットを用いた時間分割通信によって共存するシステムにおける、優先度が高い通信システム(A)に属する通信装置(101)であって、
前記通信システム(A)のＱｏＳを保証するＱｏＳコントローラ(103)と、
前記ＱｏＳコントローラ(103)と連携して、複数の通信システム内の全ての通信モデム(102,202)が行うデータ通信の送信時間を一括管理するマスタ通信管理部(106)と、
前記マスタ通信管理部(106)の指示に従って、データ通信を許可する通信許可コマンドを生成するコマンド生成部(108)と、
前記コマンド生成部(108)により生成された前記通信許可コマンドを、他の通信システムに属する通信装置へ送信する送信部(110)とを備える、通信システム(A)に属する通信装置。
【請求項２】
前記通信システム(A)が利用する通信媒体が電力線である、請求項１に記載の通信システム(A)に属する通信装置。
【請求項３】
優先度が高い通信システム(A)と当該通信システム(A)より優先度が低い通信システム(B)とが同一の通信媒体上で通信スロットを用いた時間分割通信によって共存するシステムにおける、当該通信システム(B)に属する通信装置(201)であって、
前記通信システム(A)に属する通信装置(101)から送信される、データ通信を許可する通信許可コマンドを受信する受信部(109)と、
前記通信許可コマンドで定められた一定時間内において、データ通信の実行を管理するスレーブ通信管理部(106)とを備える、通信システム(B)に属する通信装置。
【請求項４】
前記通信システム(B)が利用する通信媒体が電力線である、請求項３に記載の通信システム(B)に属する通信装置。
【請求項５】
複数の通信システムが同一の通信媒体上で通信スロットを用いた時間分割通信によって共存するシステムにおける、優先度が高い通信システム(A)に属する通信装置(101)であって、
前記通信システム(A)に必要な通信スロットを管理するＱｏＳコントローラ(103)と、
前記ＱｏＳコントローラ(103)と連携して、複数の通信システム内の全ての通信モデム(102,202)が行うデータ通信の送信時間及びデータ通信に使用する通信スロットを一括管理するマスタ通信管理部(106)と、
前記マスタ通信管理部(106)から指示される前記必要な通信スロットの使用要求に従って、通信スロット要求コマンドを生成するコマンド生成部(108)と、
前記通信スロット要求コマンドを、優先度の高い要求として、他の通信システムに属する通信装置へ送信する送信部(110)とを備える、通信システム(A)に属する通信装置。
【請求項６】
前記通信スロット要求コマンドを受信した他の通信システムに属する通信装置から送信される、当該通信装置が使用する通信スロットの使用情報を受信する受信部(109)と、
前記通信スロットの使用情報に基づき、データ通信に使用される通信スロットの使用状況を解釈するステート情報解釈部(301)とを、さらに備える、請求項５に記載の通信システム(A)に属する通信装置。
【請求項７】
前記マスタ通信管理部(106)は、前記ステート情報解釈部(301)が解釈した通信スロットの使用状況に基づき、空き通信スロットを確認し、前記空き通信スロットの中から前記通信システム(A)に必要な通信スロットの使用を決定する、請求項６に記載の通信システム(A)に属する通信装置。
【請求項８】
他の通信システムに属する通信装置とのデータ通信に使用する通信スロットの使用情報を生成するステート情報生成部(302)をさらに備え、
前記通信スロット要求コマンドを受信した場合、
前記マスタ通信管理部(106)は、データ通信に使用する通信スロットの一部を解放し、
前記送信部(110)は、前記通信スロットの使用情報を、前記通信スロット要求コマンドを送信した通信装置に送信する、請求項５に記載の通信システム(A)に属する通信装置。
【請求項９】
優先度が高い通信システム(A)と当該通信システム(A)より優先度が低い通信システム(B)とが同一の通信媒体上で通信スロットを用いた時間分割通信によって共存するシステムにおける、当該通信システム(B)に属する通信装置(201)であって、
前記通信システム(A)に属する通信装置(101)から通信スロットの使用を要求する通信スロット要求コマンドを受信する受信部(109)と、
前記通信スロット要求コマンドに基づき、データ通信に使用している通信スロットを解放する制御を行うスレーブ通信管理部(106)とを備える、通信システム(B)に属する通信装置。
【請求項１０】
前記通信システム(A)に属する通信装置(101)とのデータ通信に使用する通信スロットの使用情報を生成するステート情報生成部(402)と、
前記通信スロットの使用情報を、前記通信スロット要求コマンドを送信した通信装置に送信する送信部(110)と、
前記通信システム(A)に属する通信装置(101)から受信したデータ通信に使用されている通信スロットの使用情報を解釈するステート情報解釈部(401)とを、さらに備える、請求項９に記載の通信システム(B)に属する通信装置。
【請求項１１】
前記マスタ通信管理部(106)は、前記通信スロット要求コマンドに従って、データ通信に使用している通信スロットを解放後、所定時間が経過した後に前記ステート情報解釈部(401)が解釈した通信スロットの使用情報に基づいて、空き通信スロットを使用可能な通信スロットとして使用する、請求項１０に記載の通信システム(B)に属する通信装置。
【請求項１２】
優先度が高い通信システム(A)に属する通信装置(101)と当該通信システム(A)より優先度が低い通信システム(B)に属する通信装置(201)とが、同一の通信媒体上で通信スロットを用いた時間分割通信によって共存する共存システムであって、
前記通信システム(A)に属する通信装置(101)は、
前記通信システム(A)に必要な通信スロットを管理するＱｏＳコントローラ(103)と、
前記ＱｏＳコントローラ(103)と連携して、複数の通信システム内の全ての通信モデム(102,202)が行うデータ通信の送信時間及びデータ通信に使用する通信スロットを一括管理するマスタ通信管理部(106)と、
前記マスタ通信管理部(106)から指示される前記必要な通信スロットの使用要求に従って、通信スロット要求コマンドを生成するコマンド生成部(108)と、
前記通信スロット要求コマンドを、通信システム(B)に属する通信装置へ送信する送信部(110)とを備え、
前記通信システム(B)に属する通信装置(201)は、
前記通信システム(A)に属する通信装置(101)から前記通信スロット要求コマンドを受信する受信部(109)と、
前記通信スロット要求コマンドに基づき、データ通信に使用している通信スロットを解放する制御を行うスレーブ通信管理部(106)とを備える、共存システム。
【請求項１３】
優先度が高い通信システム(A)と当該通信システム(A)より優先度が低い通信システム(B)とが、同一の通信媒体上で通信スロットを用いた時間分割通信によって共存するための共存方法であって、
前記通信システム(A)に属する通信装置(101)は、
前記通信システム(A)に必要な通信スロットを管理するＱｏＳ管理ステップと、
複数の通信システム内の全ての通信モデム(102,202)が行うデータ通信の送信時間及びデータ通信に使用する通信スロットを一括管理し、前記ＱｏＳ管理ステップで前記必要な通信スロットの使用要求を指示するマスタ通信管理ステップと、
前記マスタ通信管理ステップからの指示に従って、通信スロット要求コマンドを生成するコマンド生成ステップと、
前記通信スロット要求コマンドを通信システム(B)に属する通信装置へ送信する送信ステップとを含み、
前記通信システム(B)に属する通信装置(201)は、
前記通信スロット要求コマンドを受信する受信ステップと、
前記通信スロット要求コマンドに基づき、データ通信に使用している通信スロットを解放する制御を行うスレーブ通信管理ステップを含む、共存方法。
【請求項１４】
優先度が高い通信システム(A)と当該通信システム(A)より優先度が低い通信システム(B)とが、同一の通信媒体上で通信スロットを用いた時間分割通信によって共存するシステムにおける、当該通信システム(A)に属する通信装置(101)に用いられる集積回路であって、
前記通信システム(A)に必要な通信スロットを管理するＱｏＳコントローラ(103)、
前記ＱｏＳコントローラ(103)と連携して、複数の通信システム内の全ての通信モデム(102,202)が行うデータ通信の送信時間及びデータ通信に使用する通信スロットを一括管理するマスタ通信管理部(106)、
前記マスタ通信管理部(106)から指示される前記必要な通信スロットの使用要求に従って、通信スロット要求コマンドを生成するコマンド生成部(108)、及び
前記通信スロット要求コマンドを、前記通信システム(B)に属する通信装置へ送信する送信部(110)として機能する回路を集積する、集積回路。
【請求項１５】
優先度が高い通信システム(A)と当該通信システム(A)より優先度が低い通信システム(B)とが、同一の通信媒体上で通信スロットを用いた時間分割通信によって共存するシステムにおける、当該通信システム(B)に属する通信装置(201)に用いられる集積回路であって、
前記通信システム(A)に属する通信装置(101)から通信スロットの使用を要求する通信スロット要求コマンドを受信する受信部(109)、及び
前記通信スロット要求コマンドに基づき、データ通信に使用している通信スロットを解放する制御を行うスレーブ通信管理部(106) として機能する回路を集積する、集積回路。
【請求項１６】
優先度が高い通信システム(A)と当該通信システム(A)より優先度が低い通信システム(B)とが同一の通信媒体上で通信スロットを用いた時間分割通信によって共存する共存システムであって、
前記通信システム(A)に属する通信装置(101)は、
前記通信システム(A)に必要な通信スロットを管理するＱｏＳコントローラ(103)と、
前記ＱｏＳコントローラ(103)と連携して、複数の通信システム内の全ての通信モデム(102,202)が行うデータ通信の送信時間及びデータ通信に使用する通信スロットを一括管理するマスタ通信管理部(106)と、
前記マスタ通信管理部(106)から指示される前記必要な通信スロットの使用要求に従って、通信スロット要求コマンドを生成するコマンド生成部(108)と、
前記通信スロット要求コマンドを、通信システム(B)に属する通信装置へ送信する送信部(110)とを備え、
前記通信システム(B)に属する通信装置(201)は、
前記通信システム(A)に属する通信装置(101)から前記通信スロット要求コマンドを受信する受信部(109)と、
前記通信スロット要求コマンドに基づき、データ通信に使用している通信スロットを解放する制御を行うスレーブ通信管理部(106)とを備え、
前記通信システム（A）は前記通信システム（B）が解放した通信スロットを確保する、共存システム。